【手続補正書】
【提出日】平成16年11月26日(2004.11.26)
【手続補正１】
【補正対象書類名】明細書
【補正対象項目名】全文
【補正方法】変更
【補正の内容】
【書類名】      明細書
【発明の名称】  遊技機用プラスチック製部品の搬送装置
【特許請求の範囲】
【請求項１】  遊技機のプラスチック製部品を搬送するコンベアと、
そのコンベアの途中に設けた除電手段と、を有し、
プラスチック製部品をコンベア上において搬送する過程でそのプラスチック製部品に直接又は導電材を介して間接的に前記除電手段を接触させ、もってプラスチック製部品に帯電した静電気を除電手段で除去するようにしたことを特徴とする遊技機用プラスチック製部品の搬送装置。
【請求項２】  遊技機のプラスチック製部品を搬送するコンベアと、
そのコンベアの途中に設けた除電手段と、を有し、
プラスチック製部品をコンベアで搬送する過程でそのプラスチック製部品を導電性の搬送台に固定又は載置し、その搬送台の一部に除電手段を接触させ、もってプラスチック製部品に帯電した静電気を除電手段で除去するようにしたことを特徴とする遊技機用プラスチック製部品の搬送装置。
【請求項３】  プラスチック製部品から除電手段に静電気が流れたことを周囲に知らせる静電気報知手段を設けてなることを特徴とする請求項１又は２記載の遊技機用プラスチック製部品の搬送装置。
【請求項４】  前記除電手段をコンベヤに形成した空間から上向きに突出させるようにしたことを特徴とする請求項１乃至３の何れか１項に記載の遊技機用プラスチック製部品の搬送装置。
【請求項５】  前記除電手段を、コンピューターを装着する工程の直前に設けたことを特徴とする請求項１乃至４の何れか１項に記載の遊技機用プラスチック製部品の搬送装置。
【請求項６】  前記除電手段を検査工程の直前に設けたことを特徴とする請求項１乃至５の何れか１項に記載の遊技機用プラスチック製部品の搬送装置。
【発明の詳細な説明】
【０００１】
【発明の属する技術分野】
本発明は遊技機用プラスチック製部品を搬送する搬送装置に関する。
【０００２】
【従来の技術】
パチンコ機やスロットルマシンのような遊技機は、ゲーム内容や表示態様が高度化複雑化しており、それらを制御するコンピューターが一台ごとに搭載されている。一方、遊技機は構成部品の多くがプラスチック化される傾向にあり、例えばパチンコ機は遊技板を除く主要部品の殆どがプラスチック化されつつある。
【０００３】
【発明が解決しようとする課題】
通常、プラスチック製部品は静電気を帯びやすい。言うまでもなく静電気はコンピューターの大敵であり、制御のコンピューター化と部品のプラスチック化の双方が同時進行している遊技機業界にとって、静電気対策は急務である。
【０００４】
本発明は上記に鑑みなされたもので、その目的は遊技機用プラスチック製部品の静電気を簡単に除去することができる搬送装置を提供することにある。
【０００５】
【課題を解決するための手段】
上記の目的を達成するため本発明は、遊技機のプラスチック製部品を搬送するコンベアと、そのコンベアの途中に設けた除電手段とを有し、プラスチック製部品をコンベア上において搬送する過程でそのプラスチック製部品に直接又は導電材を介して間接的に前記除電手段を接触させ、もってプラスチック製部品に帯電した静電気を除電手段で除去するようにした遊技機用プラスチック製部品の搬送装置を提供する。
【０００６】
遊技機の製造工場などにおいて、プラスチック製部品を搬送する過程で除電手段がそのプラスチック製部品に帯電した静電気を除去するから、コンピュータが静電気でダメージを受けたり、或いは遊技機製造に従事する作業者がプラスチック製部品から放電される静電気で不快感を味わうおそれがない。
【０００７】
【発明の実施の形態】
以下に本発明の実施の形態を遊技機たるパチンコ機を例に説明する。なお、図１〜図４は遊技機のプラスチック製部品を搬送するコンベアの一部を示す斜視図、図５はパチンコ機の製造工場の内部を示す概略の斜視図、図６はパチンコ機の斜視図である。
【０００８】
先ずパチンコ機Ｐは、図６に示したように、四角い外枠１と、その外枠１の正面にドア状に回動自在に取り付けられた前枠ユニット２とから概略構成される。前記前枠ユニット２は、プラスチック製の前枠３と、その前枠３のほぼ上半分強を覆うプラスチック製のガラス扉枠４と、上球皿５を有しガラス扉枠４の下側に設けたプラスチック製の前面板６と、前枠３の正面下方に固着され操作ハンドル７と下球皿８と灰皿９とを一体に集約設置した下球皿ユニット１０と、前枠３の前記ガラス扉枠４に対応する裏面に着脱自在に取り付けた遊技板（図示せず）と、前枠３の裏面に装着した機構板（図示せず）とから概略構成される。また、周知のように遊技板は、ガイドレールで遊技領域を円形に囲い、その遊技領域に風車、入賞球受口器、入賞装置、障害釘等を取り付けてなる。
【０００９】
パチンコ機Ｐの製造工場は、図５に示したように建物１１が三階建てになっており、下から順に一階が倉庫兼出荷場１２、二階が前枠ユニット２の製造ライン１３を設置した前枠ユニット２の製造フロア１４、三階が遊技板の製造ライン１５を設置した遊技板の製造フロア１６である。そして三階から二階を通って一階に至る遊技板用の昇降リフト１７が設置され、また、二階から一階に前枠ユニット２または完成したパチンコ機Ｐを搬送する昇降リフト１８が設置されている。
【００１０】
通常、遊技板の製造は、表面装飾フィルムの貼着、ルーター等による孔開け、障害釘の打ち付け、ガイドレールの取り付け、風車の取り付け、入賞装置や装飾部品（以下入賞装置等という。）の取り付け、裏側の部品類の取り付け、完成した遊技板の検査、の順に行われる。このうち表面装飾フィルムの貼着と孔開けは別の場所（外注等の別工場）で行われる。
【００１１】
三階の遊技板の製造ライン１５の搬送装置となるコンベア１９ａは、孔開けした遊技板をストックするストック領域Ａに始端部がある。そしてその製造ライン１５には始端部から順に、障害釘を打ち付ける釘打ち工程Ｂ、ガイドレールを取り付けるレール取付工程Ｃ、風車を取り付ける風車取付工程Ｄがあり、そこから第二のコンベア１９ｂに移動して、入賞装置等を取り付ける入賞装置等取付工程Ｅ、裏側の部品類を取り付ける裏部品取付工程Ｆ、完成した遊技板をチェックする検査工程Ｇがあり、製造ライン１５の終端が前記昇降リフト１７の近傍に位置する。
【００１２】
二階の前枠ユニット２の製造ライン１３の搬送装置となるコンベア１９ｃは前記遊技板用の昇降リフト１７の近傍に始端があり、その始端部の傍に前枠３がストックされている。
【００１３】
前枠ユニット２の製造ライン１３には始端部から順に、前枠３をコンベア１９ｃに供給する移送工程Ｈ、前枠３にガラス扉枠６を取り付けるガラス扉枠取付工程Ｊ、下球皿ユニット１２を取り付ける下球皿ユニット取付工程Ｋ、前枠３を裏返しに反転させる前枠反転工程Ｌ、前枠３に遊技板を取り付ける遊技板装着工程Ｍ、前枠３に機構板を取り付ける機構板取付工程Ｎ、前枠３を垂直に起立させて前面板８を取り付ける前面板取付工程Ｑ、完成した前枠ユニット２を検査する検査工程Ｒ、前枠ユニット２を外枠１に組み付ける外枠組み付け工程Ｓ、製品を袋詰めにする梱包工程Ｔとから概略構成され、終端に前記昇降リフト１８が接続している。
【００１４】
しかして本発明の搬送装置は、前記コンベア１９ａ〜１９ｃの任意の場所（例えばコンピューターを装着する工程の直前や検査工程の直前等）に除電手段２０を設けた点に特徴がある。
【００１５】
除電手段２０は図１に示したように、コンベア１９ａ（１９ｂ，１９ｃ）の両横に支柱２０ａ，２０ａを立設し、その支柱２０ａ，２０ａ間に導電性のブラシ２０ｂを下向きに植設した水平シャフト２０ｃを横設してなる。そして、ブラシ２０ｂの下を例えばプラスチック製部品である前枠３やプラスチック製部品を取り付けた遊技板が通過すると、ブラシ２０ｂの先が直接プラスチック製部品の上面に接触して静電気を除去する。
【００１６】
なお、支柱２０ａ，２０ａを上下動自在に形成し、プラスチック製部品の高さに合わせてブラシ２０ｂの位置を調整するようにするとよい。また、図１において符号２０ｄは水平シャフト２０ｃの端部に設けた静電気報知手段であり、具体的にはプラスチック製部品から除電手段２０に静電気が流れた場合に、その電流で瞬間的に発光するようにした発光ダイオードや音が鳴るようにした音発生装置である。この静電気報知手段２０ｄはプラスチック製部品の静電気を音や光に変換して周囲に知らせるようにしたため、第一に除電手段２０の有効性を作業者の視聴覚を通じて直接アピールすることができる、第二に静電気の発生は湿度などの影響で日によって異なるが、静電気報知手段２０ｄで静電気に警戒すべき日と比較的安全な日が簡単に見分けられる、という効果がある。
【００１７】
また、除電手段２０の他の例は図２に示したように、コンベア１９ａ（１９ｂ，１９ｃ）の両横に支柱２０ａ，２０ａを立設し、その支柱２０ａ，２０ａの頂部側面に導電性のブラシ２０ｂ，２０ｂを横向き且つコンベア１９ａ（１９ｂ，１９ｃ）の進行方向に対して斜めに向けて突設してなる。そして、ブラシ２０ｂ，２０ｂの間をプラスチック製部品が通過すると、ブラシ２０ｂの先が直接プラスチック製部品の側面に接触して静電気を除去する。
【００１８】
また、除電手段２０の他の例は図３に示したように、コンベア１９ａ（１９ｂ，１９ｃ）を二分割して間に空間Ｓを形成し、その空間Ｓから導電性のブラシ２０ｂを上向きに突設してなる。そして、除電手段２０の上をプラスチック製部品が通過すると、ブラシ２０ｂの先が直接プラスチック製部品の下面に接触して静電気を除去する。
【００１９】
上記図１〜図３の除電手段２０はプラスチック製部品を水平に寝かせた状態にして搬送する場合に対応するが、図４の除電手段２０はプラスチック製部品を垂直に立たせた状態にして搬送する場合に対応する。すなわち、コンベア１９ｃの前面板取付工程Ｑは前枠３を垂直に起立させてから前面板６の取り付けを行うようになっていて、前面板取付工程Ｑの後はプラスチック製部品たる前枠３が垂直に起立した状態で移動する。このような垂直搬送型のコンベア１９ｃに対応する除電手段２０は、図４に示したようにコンベア１９ｃの正面（又は背面）に支柱２０ａを立設し、その支柱２０ａの頂部側面に導電性のブラシ２０ｂを水平に突設させた構成とし、除電手段２０の前をプラスチック製部品が通過すると、ブラシ２０ｂの先が直接プラスチック製部品の正面（又は背面）に接触して静電気を除去する。
【００２０】
以上本発明を実施の形態について説明したが、もちろん本発明は上記実施形態に限定されるものではない。例えば、実施形態では除電手段２０として導電性のブラシ２０ｂを使用したが、導電性の布や金属棒を使用してもよい。また、実施形態ではプラスチック製部品に除電手段２０を直接接触させるようにしたが、例えば導電性の搬送台にプラスチック製部品を固定又は載置し、その搬送台の一部に除電手段２０を接触させ、もってプラスチック製部品に帯電した静電気を前記搬送台を介して除去するようにしてもよい。そうすることによりプラスチック製部品と除電手段２０が直接擦れ合わないから、プラスチック製部品に擦り傷がついたり汚れたりするおそれがない。
【００２１】
【発明の効果】
本発明によれば、遊技機の製造に際しプラスチック製部品を搬送する過程でそのプラスチック製部品に帯電した静電気を除電手段が除去するため、コンピューターが静電気でダメージを受けたり、或いは遊技機製造に従事する作業者がプラスチック製部品から放電される静電気で不快感を味わうおそれがない、などの効果がある。
また、プラスチック製部品に帯電した静電気を請求項２のように導電性の搬送台を介して除去するようにすれば、プラスチック製部品と除電手段が直接擦れ合わないから、プラスチック製部品に擦り傷がついたり汚れたりするおそれがない。
また、請求項３のように除電手段に静電気がながれたことを静電気報知手段で周囲に知らせるようにすれば、第一に除電手段の有効性を作業者の視聴覚を通じて直接アピールすることができる、第二に静電気の発生は湿度などの影響で日によって異なるが、静電気報知手段で静電気に警戒すべき日と比較的安全な日が簡単に見分けられる、という効果がある。
【図面の簡単な説明】
【図１】  遊技機のプラスチック製部品を搬送するコンベアの一部を示す斜視図である。
【図２】  遊技機のプラスチック製部品を搬送するコンベアの一部を示す斜視図である。
【図３】  遊技機のプラスチック製部品を搬送するコンベアの一部を示す斜視図である。
【図４】  遊技機のプラスチック製部品を搬送するコンベアの一部を示す斜視図である。
【図５】  パチンコ機の製造工場の内部を示す概略の斜視図である。
【図６】  パチンコ機の斜視図である。
【符号の説明】
Ｐ  …パチンコ機（遊技機）
３  …前枠（プラスチック製部品）
１９ａ〜１９ｃ…コンベア
２０…除電手段
２０ｂ…ブラシ（除電手段）
２０ｄ…静電気報知手段
Ｓ  …空間
Ｇ  …遊技板をチェックする検査工程
Ｒ  …前枠ユニットを検査する工程